(57)【要約】【課題】睡眠時の呼吸状態と肥満度合いとの関係から睡眠時無呼吸症候群の改善に関するアドバイス、又は患者に適した安全な減量プログラムを設定する健康管理装置又は健康管理システムを提供する。【解決手段】睡眠時の無呼吸低呼吸状態に関する指標を入力する呼吸情報入力手段と、少なくとも肥満度合いに関する身体情報を入力する身体情報入力手段と、前記無呼吸低呼吸状態に関する指標と前記肥満度合いとの関係に基づいて、前記無呼吸低呼吸状態の改善に関するアドバイスを出力するアドバイス出力手段とを備えることにより、肥満が原因で発症したと考えられる睡眠時無呼吸症候群の度合いに応じて、改善のための適切なアドバイスを提供することができ、肥満が原因ではない場合にはしかるべき医療機関での治療を促すなど、患者に適切な対処法を提供することができる。【選択図】        図１
2006192255.tif 000002
【特許請求の範囲】
【請求項１】
睡眠時の無呼吸低呼吸状態に関する指標を入力する呼吸情報入力手段と、
少なくとも肥満度合いに関する身体情報を入力する身体情報入力手段と、
前記無呼吸低呼吸状態に関する指標と前記肥満度合いとの関係に基づいて、前記無呼吸低呼吸状態の改善に関するアドバイスを出力するアドバイス出力手段とを備えることを特徴とする健康管理装置。
【請求項２】
請求項１に記載の健康管理装置であって、前記身体情報入力手段は、少なくとも前記肥満度合いに関する身体情報を測定して入力し、前記身体情報に基づいて肥満度合いを判定する肥満度判定手段とを備えることを特徴とする健康管理装置。
【請求項３】
請求項１又は２に記載の健康管理装置であって、前記呼吸情報入力手段は、睡眠時の呼吸状態を検出する呼吸状態検出手段と、前記呼吸状態に基づいて睡眠時無呼吸低呼吸指数を演算する睡眠時無呼吸低呼吸指数演算手段とを備えることを特徴とする健康管理装置。
【請求項４】
請求項３に記載の健康管理装置であって、前記呼吸状態検出手段は、睡眠時の被験者の身体を支持するマットレス部に配した、マットレス部内部の圧力変動を検知する圧力検知手段と、前記マットレス部からの信号を受信するコントロール部に配した、前記圧力変動から呼吸成分を抽出して呼吸状態を解析する呼吸状態解析手段とから成り、前記コントロール部は更に前記睡眠時無呼吸低呼吸指数演算手段を備えて成ることを特徴とする健康管理装置。
【請求項５】
請求項４に記載の健康管理装置であって、前記コントロール部は、前記マットレス部から着脱自在に備え、更に前記身体情報入力手段及び前記アドバイス出力手段を備えて構成することを特徴とする健康管理装置。
【請求項６】
請求項１乃至５の内いずれか一項に記載の健康管理装置であって、前記アドバイスを目標値として設定し、運動量又は摂取カロリー量などを計測する目標量計測手段を更に備えることを特徴とする健康管理装置。
【請求項７】
請求項１乃至６の内いずれか一項に記載の健康管理装置であって、前記アドバイス出力手段は、前記睡眠時の無呼吸低呼吸状態を改善するための減量プログラムを設定するプログラム設定手段を更に備えることを特徴とする健康管理装置。
【請求項８】
請求項７に記載の健康管理装置であって、前記プログラム設定手段は、前記睡眠時の無呼吸状態及び低呼吸状態の度合いが高いほど且つ肥満度が低いほど運動強度の高い減量プログラムを設定することを特徴とする健康管理装置。
【請求項９】
請求項７に記載の健康管理装置であって、前記プログラム設定手段は、一定期間毎に前記減量プログラムの設定を更新することを特徴とする健康管理装置。
【請求項１０】
請求項７に記載の健康管理装置であって、前記プログラム設定手段は、前記無呼吸低呼吸状態に関する指標と前記肥満度合いとのマトリクスを用いて前記減量プログラムを設定することを特徴とする健康管理装置。
【請求項１１】
請求項７に記載の健康管理装置であって、前記プログラム設定手段は、前記無呼吸低呼吸状態に関する指標と前記肥満度合いとをグラフ表示する表示手段を更に備えることを特徴とする健康管理装置。
【請求項１２】
請求項７に記載の健康管理装置であって、前記身体情報入力手段は、年齢、性別、基礎代謝に関する指標又は前記肥満度合い以外の体組成に関する指標の内、少なくとも年齢を更に入力するものであり、前記プログラム設定手段は、前記身体情報に基づいて、前記減量プログラムを被験者に合わせて補正するプログラム補正手段を更に備えることを特徴とする健康管理装置。
【請求項１３】
睡眠時の呼吸状態を検出する呼吸状態検出手段と、前記呼吸状態に基づいて睡眠時の無呼吸低呼吸状態に関する指標を演算する睡眠時無呼吸低呼吸指標演算手段とを備える終夜計測端末と、
少なくとも肥満度合いに関する身体情報を測定して入力し、前記身体情報に基づいて肥満度合いを判定する肥満度判定手段とを備える生体測定端末と、
前記無呼吸低呼吸状態に関する指標と前記肥満度合いとの関係に基づいて、前記無呼吸低呼吸状態の改善に関するアドバイスを出力するアドバイス出力手段を備えるデータ管理端末と、
前記アドバイスを目標値として設定し、運動量又は摂取カロリー量などを計測する目標量計測手段を備える携帯端末とから成り、
前記データ管理端末は、前記終夜計測端末及び生体計測端末の各々からデータを取得し、前記携帯端末との間でデータを受け渡ししてデータ管理することを特徴とする健康管理システム。
【請求項１４】
請求項１３に記載の健康管理システムであって、前記携帯端末は、前記終夜計測端末、生体測定端末及びデータ管理端末に各々接続することにより前記各端末のデータを記憶し、各端末間のデータの受け渡しをすることを特徴とする健康管理システム。
【請求項１５】
請求項１に記載の健康管理装置であって、
メタボリックシンドロームに関連する特定身体情報を入力する特定身体情報入力手段と、
前記特定身体情報がメタボリックシンドロームに及ぼす影響度を判定するＭＳ影響度判定手段とを更に備え、
前記アドバイス出力手段は、前記判定された影響度に応じて、前記無呼吸低呼吸状態の改善に関するアドバイスを出力することを特徴とする健康管理装置。
【請求項１６】
請求項１５に記載の健康管理装置であって、前記アドバイス出力手段は、前記睡眠時の無呼吸低呼吸状態を改善するための減量プログラムを設定するプログラム設定手段と、前記特定身体情報がメタボリックシンドロームに及ぼす影響度に基づいて、前記減量プログラムを補正するＭＳプログラム補正手段とを更に備えることを特徴とする健康管理装置。
【請求項１７】
請求項１５又は１６に記載の健康管理装置であって、前記特定身体情報は、内臓脂肪に関する指標、血圧値、血糖値又は尿糖値、血中脂質量の内、少なくとも内臓脂肪に関する指標であることを特徴とする健康管理装置。
【発明の詳細な説明】
【技術分野】
【０００１】
本発明は、睡眠時の呼吸状態と肥満度合いとから、睡眠時の無呼吸低呼吸状態の改善に関するアドバイスを提供する健康管理装置及び健康管理システムに関する。
【背景技術】
【０００２】
睡眠時の呼吸に関する生体情報を検出することにより睡眠時無呼吸症候群を検出する特許は、既に多数出願されており、例えば、生体インピーダンスを連続して測定することにより得られる生体インピーダンス変動から、所定のディジタル処理を施すことにより呼吸成分を抽出し、呼吸変動のモニタリングに適用可能とする装置が開示されている（例えば、特許文献１参照）。
【０００３】
また、呼吸による肺容積変化を、胸部に配した電極を用いてインピーダンスを連続測定することにより、睡眠時無呼吸症候群の検出に適用可能とする装置が開示されている（例えば、特許文献２参照）。
【特許文献１】特開２０００−２１５号公報
【特許文献２】特表２０００−５１７１９９号公報
【発明の開示】
【発明が解決しようとする課題】
【０００４】
前記睡眠時無呼吸症候群の原因の大半は肥満によるものであり、肥満度合いが高くなるほど睡眠時無呼吸症候群の度合いもひどくなると広く認識されており、特に臨床医学の分野においては、睡眠時無呼吸症候群の治療に際してまず肥満を解消することが重要であるとされているにもかかわらず、睡眠時無呼吸症候群と肥満度合いとの関係から肥満を改善するための減量プログラムを提供できる装置がなかった。
【０００５】
睡眠時無呼吸症候群を発症している場合、一般的な減量プログラムにより減量している間も、毎日の睡眠における危険性をはらむことになる。従って、睡眠時無呼吸症候群の度合いを示す指標とされる睡眠時無呼吸低呼吸指数（以下、ＡＨＩという）が高い値を示すほど、その原因の一つと考えられる肥満度合いが高いほど、より早く肥満を解消することにより危険性を少しでも解消すべきと考えられる。しかし、肥満度が高くなるほど高負荷の運動は被験者の身体に大きな負担となり、減量により身体に悪影響を及ぼしかねない。その上、肥満の度合いによっては、運動の促進とともに、摂取カロリーのコントロールする必要がある。
【０００６】
更に、ＡＨＩが重症を示すようになると、減量だけで改善を図るには危険が伴い、しかるべき医療機関による治療が必要であるため、安易に減量すれば良いというわけではない。
【０００７】
従って本発明では、睡眠時の呼吸状態と肥満度合いとの関係から睡眠時無呼吸症候群の改善に関するアドバイス、又はＡＨＩが軽度から中等度を示す睡眠時無呼吸症候群患者に対して、健常者（病的な睡眠時無呼吸症候群ではない人）を対象として運動強度及び摂取カロリーなどを設定した一般的な減量プログラムに基づいて、ＡＨＩ及び肥満度に応じた前記減量プログラムの運動強度及び摂取カロリーを設定し、睡眠時無呼吸症候群患者に適した安全な減量プログラムを設定する健康管理装置又は健康管理システムを提供する。
【課題を解決するための手段】
【０００８】
上記課題を解決するために本発明は、睡眠時の無呼吸低呼吸状態に関する指標を入力する呼吸情報入力手段と、少なくとも肥満度合いに関する身体情報を入力する身体情報入力手段と、前記無呼吸低呼吸状態に関する指標と前記肥満度合いとの関係に基づいて、前記無呼吸低呼吸状態の改善に関するアドバイスを出力するアドバイス出力手段とを備える健康管理装置を提供する。
【０００９】
また、前記身体情報入力手段は、少なくとも前記肥満度合いに関する身体情報を測定して入力し、前記身体情報に基づいて肥満度合いを判定する肥満度判定手段とを備える。
【００１０】
また、前記呼吸情報入力手段は、睡眠時の呼吸状態を検出する呼吸状態検出手段と、前記呼吸状態に基づいて睡眠時無呼吸低呼吸指数を演算する睡眠時無呼吸低呼吸指数演算手段とを備える。
【００１１】
また、前記呼吸状態検出手段は、睡眠時の被験者の身体を支持するマットレス部に配した、マットレス部内部の圧力変動を検知する圧力検知手段と、前記マットレス部からの信号を受信するコントロール部に配した、前記圧力変動から呼吸成分を抽出して呼吸状態を解析する呼吸状態解析手段とから成り、前記コントロール部は更に前記睡眠時無呼吸低呼吸指数演算手段を備えて成る。
【００１２】
また、前記コントロール部は、前記マットレス部から着脱自在に備え、更に前記身体情報入力手段及び前記アドバイス出力手段を備えて構成する。
【００１３】
また、前記アドバイスを目標値として設定し、運動量又は摂取カロリー量などを計測する目標量計測手段を更に備える。
【００１４】
また、前記アドバイス出力手段は、前記睡眠時の無呼吸低呼吸状態を改善するための減量プログラムを設定するプログラム設定手段を更に備える。
【００１５】
また、前記プログラム設定手段は、前記睡眠時の無呼吸状態及び低呼吸状態の度合いが高いほど且つ肥満度が低いほど運動強度の高い減量プログラムを設定する。
【００１６】
また、前記プログラム設定手段は、一定期間毎に前記減量プログラムの設定を更新する。
【００１７】
また、前記プログラム設定手段は、前記無呼吸低呼吸状態に関する指標と前記肥満度合いとのマトリクスを用いて前記減量プログラムを設定する。
【００１８】
また、前記プログラム設定手段は、前記無呼吸低呼吸状態に関する指標と前記肥満度合いとをグラフ表示する表示手段を更に備える。
【００１９】
また、前記身体情報入力手段は、年齢、性別、基礎代謝に関する指標又は前記肥満度合い以外の体組成に関する指標の内、少なくとも年齢を更に入力するものであり、前記プログラム設定手段は、前記身体情報に基づいて、前記減量プログラムを被験者に合わせて補正するプログラム補正手段を更に備える。
【００２０】
また本発明は、睡眠時の呼吸状態を検出する呼吸状態検出手段と、前記呼吸状態に基づいて睡眠時の無呼吸低呼吸状態に関する指標を演算する睡眠時無呼吸低呼吸指標演算手段とを備える終夜計測端末と、少なくとも肥満度合いに関する身体情報を測定して入力し、前記身体情報に基づいて肥満度合いを判定する肥満度判定手段とを備える生体測定端末と、前記無呼吸低呼吸状態に関する指標と前記肥満度合いとの関係に基づいて、前記無呼吸低呼吸状態の改善に関するアドバイスを出力するアドバイス出力手段を備えるデータ管理端末と、前記アドバイスを目標値として設定し、運動量又は摂取カロリー量などを計測する目標量計測手段を備える携帯端末とから成り、前記データ管理端末は、前記終夜計測端末及び生体計測端末の各々からデータを取得し、前記携帯端末との間でデータを受け渡ししてデータ管理する健康管理システムを提供する。
【００２１】
また、前記携帯端末は、前記終夜計測端末、生体測定端末及びデータ管理端末に各々接続することにより前記各端末のデータを記憶し、各端末間のデータの受け渡しをする。
【００２２】
また、本発明の健康管理装置は、メタボリックシンドロームに関連する特定身体情報を入力する特定身体情報入力手段と、前記特定身体情報がメタボリックシンドロームに及ぼす影響度を判定するＭＳ影響度判定手段とを更に備え、前記アドバイス出力手段は、前記判定された影響度に応じて、前記無呼吸低呼吸状態の改善に関するアドバイスを出力する。
【００２３】
また、前記アドバイス出力手段は、前記睡眠時の無呼吸低呼吸状態を改善するための減量プログラムを設定するプログラム設定手段と、前記特定身体情報がメタボリックシンドロームに及ぼす影響度に基づいて、前記減量プログラムを補正するＭＳプログラム補正手段とを更に備える。
【００２４】
更に、前記特定身体情報は、内臓脂肪に関する指標、血圧値、血糖値又は尿糖値の内、少なくとも内臓脂肪に関する指標である。
【発明の効果】
【００２５】
本発明の健康管理装置は、睡眠時の無呼吸低呼吸状態に関する指標を入力する呼吸情報入力手段と、少なくとも肥満度合いに関する身体情報を入力する身体情報入力手段と、前記無呼吸低呼吸状態に関する指標と前記肥満度合いとの関係に基づいて、前記無呼吸低呼吸状態の改善に関するアドバイスを出力するアドバイス出力手段とを備えることにより、肥満が原因で発症したと考えられる睡眠時無呼吸症候群の度合いに応じて、改善のための適切なアドバイスを提供することができ、肥満が原因ではない場合にはしかるべき医療機関での治療を促すなど、患者に適切な対処法を提供することができる。
【００２６】
また、前記呼吸情報入力手段は、睡眠時の呼吸状態を検出する呼吸状態検出手段と、前記呼吸状態に基づいて睡眠時無呼吸低呼吸指数を演算する睡眠時無呼吸低呼吸指数演算手段とを備え、前記身体情報入力手段は、少なくとも前記肥満度合いに関する身体情報を測定して入力し、前記身体情報に基づいて肥満度合いを判定する肥満度判定手段とを備えることから、被験者の睡眠時無呼吸症候群の度合いや肥満度に関して精度の高いデータを取得することにより、より適切なアドバイスを提供することができる。
【００２７】
また、前記呼吸状態検出手段は、睡眠時の被験者の身体を支持するマットレス部に配した、マットレス部内部の圧力変動を検知する圧力検知手段と、前記マットレス部からの信号を受信するコントロール部に配した、前記圧力変動から呼吸成分を抽出して呼吸状態を解析する呼吸状態解析手段とから成り、前記コントロール部は更に前記睡眠時無呼吸低呼吸指数演算手段を備えて成り、更に、前記コントロール部は、前記マットレス部から着脱自在に備え、更に前記身体情報入力手段及び前記アドバイス出力手段を備えて構成することから、複数の装置を要することなく家庭で手軽に健康管理が可能である。
【００２８】
また、前記アドバイスを目標値として設定し、運動量又は摂取カロリー量などを計測する目標量計測手段を更に備えることから、日々の生活において、設定された減量プログラムに従って運動及び食事のコントロールを確実にこなしながら目標の達成を目指すことができ、具体的に運動量や摂取カロリー量を計測するため信頼性の高い健康管理が可能である。
【００２９】
また、前記アドバイス出力手段は、前記睡眠時の無呼吸低呼吸状態を改善するための減量プログラムを設定するプログラム設定手段を更に備えることから、睡眠時無呼吸症候群の度合いと肥満度合いとから得られる、患者に適した安全な減量プログラムにより、安心して日々の健康管理をすることができる。
【００３０】
また、前記プログラム設定手段は、前記睡眠時の無呼吸状態及び低呼吸状態の度合いが高いほど且つ肥満度が低いほど運動強度の高い減量プログラムを設定することから、被験者にとって過度の運動や食事制限を強制することなく、安全且つより早い減量を目指す減量プログラムを提供し、日々の睡眠時における無呼吸症候群の危険性からより早く回避させることが可能である。
【００３１】
また、前記プログラム設定手段は、一定期間毎に前記減量プログラムの設定を更新し、また、前記無呼吸低呼吸状態に関する指標と前記肥満度合いとのマトリクスを用いて前記減量プログラムを設定することから、患者の睡眠時の呼吸状態の変化及び肥満度合いの変化を考慮して常に患者に適した減量プログラムを提供することが可能である。
【００３２】
また、前記プログラム設定手段は、前記無呼吸低呼吸状態に関する指標と前記肥満度合いとをグラフ表示する表示手段を更に備えることから、睡眠時無呼吸症候群の度合いと肥満の度合いの変化、または減量プログラムの効果などが一目で分かりやすく表示され、また睡眠時無呼吸症候群の度合いと肥満度合いとの関係を患者により深く認識させることができ、肥満予防の啓蒙としても効果的である。
【００３３】
また、前記身体情報入力手段は、年齢、性別、基礎代謝に関する指標又は前記肥満度合い以外の体組成に関する指標の内、少なくとも年齢を更に入力するものであり、前記プログラム設定手段は、前記身体情報に基づいて、前記減量プログラムを被験者に合わせて補正するプログラム補正手段を更に備えることから、患者個々の身体に適した、より安全且つ効果的な減量が可能であり、信頼性の高い健康管理が可能である。
【００３４】
また本発明の健康管理システムは、睡眠時の呼吸状態を検出する呼吸状態検出手段と、前記呼吸状態に基づいて睡眠時の無呼吸低呼吸状態に関する指標を演算する睡眠時無呼吸低呼吸指標演算手段とを備える終夜計測端末と、少なくとも肥満度合いに関する身体情報を測定して入力し、前記身体情報に基づいて肥満度合いを判定する肥満度判定手段とを備える生体測定端末と、前記無呼吸低呼吸状態に関する指標と前記肥満度合いとの関係に基づいて、前記無呼吸低呼吸状態の改善に関するアドバイスを出力するアドバイス出力手段を備えるデータ管理端末と、前記アドバイスを目標値として設定し、運動量又は摂取カロリー量などを計測する目標量計測手段を備える携帯端末とから成り、前記データ管理端末は、前記終夜計測端末及び生体計測端末の各々からデータを取得し、前記携帯端末との間でデータを受け渡ししてデータ管理することから、各端末により精度の高いデータを得ることができる上に、ＡＨＩ及び肥満度以外のデータも取得可能であり、これら複数のデータを一元化して管理でき、様々な観点からの被験者の健康管理が可能である。
【００３５】
また、前記携帯端末は、前記終夜計測端末、生体測定端末及びデータ管理端末に各々接続することにより前記各端末のデータを記憶し、各端末間のデータの受け渡しをすることから、複数の端末を有するシステムにありがちな通信手段や各記憶手段などが不要であり、また、同様の端末を置いているところであればどこでも測定可能である。
【００３６】
更に、本発明の健康管理装置は、メタボリックシンドロームに関連する特定身体情報を入力する特定身体情報入力手段と、前記特定身体情報がメタボリックシンドロームに及ぼす影響度を判定するＭＳ影響度判定手段とを更に備え、前記アドバイス出力手段は、前記判定された影響度に応じて、前記無呼吸低呼吸状態の改善に関するアドバイスを出力し、前記アドバイス出力手段は、前記睡眠時の無呼吸低呼吸状態を改善するための減量プログラムを設定するプログラム設定手段と、前記特定身体情報がメタボリックシンドロームに及ぼす影響度に基づいて、前記減量プログラムを補正するＭＳプログラム補正手段とを更に備え、前記特定身体情報は、内臓脂肪に関する指標、血圧値、血糖値又は尿糖値の内、少なくとも内臓脂肪に関する指標であることから、高血圧、高脂血症、糖尿病などの生活習慣病の危険性を考慮して、食事における栄養バランスに関するアドバイスを加えて肥満を解消させるなど、被験者に、より適したアドバイスを提供することを可能とする。
【発明を実施するための最良の形態】
【００３７】
本発明の健康管理装置は、睡眠時の無呼吸低呼吸状態に関する指標を入力する呼吸情報入力手段と、少なくとも肥満度合いに関する身体情報を入力する身体情報入力手段と、前記無呼吸低呼吸状態に関する指標と前記肥満度合いとの関係に基づいて、前記無呼吸低呼吸状態の改善に関するアドバイスを出力するアドバイス出力手段とを備える。
【００３８】
また、前記身体情報入力手段は、少なくとも前記肥満度合いに関する身体情報を測定して入力し、前記身体情報に基づいて肥満度合いを判定する肥満度判定手段とを備える。
【００３９】
また、前記呼吸情報入力手段は、睡眠時の呼吸状態を検出する呼吸状態検出手段と、前記呼吸状態に基づいて睡眠時無呼吸低呼吸指数を演算する睡眠時無呼吸低呼吸指数演算手段とを備える。
【００４０】
また、前記呼吸状態検出手段は、睡眠時の被験者の身体を支持するマットレス部に配した、マットレス部内部の圧力変動を検知する圧力検知手段と、前記マットレス部からの信号を受信するコントロール部に配した、前記圧力変動から呼吸成分を抽出して呼吸状態を解析する呼吸状態解析手段とから成り、前記コントロール部は更に前記睡眠時無呼吸低呼吸指数演算手段を備えて成る。
【００４１】
また、前記コントロール部は、前記マットレス部から着脱自在に備え、更に前記身体情報入力手段及び前記アドバイス出力手段を備えて構成する。
【００４２】
また、前記アドバイスを目標値として設定し、運動量又は摂取カロリー量などを計測する目標量計測手段を更に備える。
【００４３】
また、前記アドバイス出力手段は、前記睡眠時の無呼吸低呼吸状態を改善するための減量プログラムを設定するプログラム設定手段を更に備える。
【００４４】
また、前記プログラム設定手段は、前記睡眠時の無呼吸状態及び低呼吸状態の度合いが高いほど且つ肥満度が低いほど運動強度の高い減量プログラムを設定するものである。
【００４５】
また、前記プログラム設定手段は、一定期間毎に前記減量プログラムの設定を更新するものである。
【００４６】
また、前記プログラム設定手段は、前記無呼吸低呼吸状態に関する指標と前記肥満度合いとのマトリクスを用いて前記減量プログラムを設定するものである。
【００４７】
また、前記プログラム設定手段は、前記無呼吸低呼吸状態に関する指標と前記肥満度合いとをグラフ表示する表示手段を更に備える。
【００４８】
また、前記身体情報入力手段は、年齢、性別、基礎代謝に関する指標又は前記肥満度合い以外の体組成に関する指標の内、少なくとも年齢を更に入力するものであり、前記プログラム設定手段は、前記身体情報に基づいて、前記減量プログラムを被験者に合わせて補正するプログラム補正手段を更に備える。
【００４９】
また本発明の健康管理システムは、睡眠時の呼吸状態を検出する呼吸状態検出手段と、前記呼吸状態に基づいて睡眠時の無呼吸低呼吸状態に関する指標を演算する睡眠時無呼吸低呼吸指標演算手段とを備える終夜計測端末と、少なくとも肥満度合いに関する身体情報を測定して入力し、前記身体情報に基づいて肥満度合いを判定する肥満度判定手段とを備える生体測定端末と、前記無呼吸低呼吸状態に関する指標と前記肥満度合いとの関係に基づいて、前記無呼吸低呼吸状態の改善に関するアドバイスを出力するアドバイス出力手段を備えるデータ管理端末と、前記アドバイスを目標値として設定し、運動量又は摂取カロリー量などを計測する目標量計測手段を備える携帯端末とから成り、前記データ管理端末は、前記終夜計測端末及び生体計測端末の各々からデータを取得し、前記携帯端末との間でデータを受け渡ししてデータ管理するものである。
【００５０】
また、前記携帯端末は、前記終夜計測端末、生体測定端末及びデータ管理端末に各々接続することにより前記各端末のデータを記憶し、各端末間のデータの受け渡しをするものである。
【００５１】
また、本発明の健康管理装置は、メタボリックシンドロームに関連する特定身体情報を入力する特定身体情報入力手段と、前記特定身体情報がメタボリックシンドロームに及ぼす影響度を判定するＭＳ影響度判定手段とを更に備え、前記アドバイス出力手段は、前記判定された影響度に応じて、前記無呼吸低呼吸状態の改善に関するアドバイスを出力する。
【００５２】
また、前記アドバイス出力手段は、前記睡眠時の無呼吸低呼吸状態を改善するための減量プログラムを設定するプログラム設定手段と、前記特定身体情報がメタボリックシンドロームに及ぼす影響度に基づいて、前記減量プログラムを補正するＭＳプログラム補正手段とを更に備える。
【００５３】
更に、前記特定身体情報は、内臓脂肪に関する指標、血圧値、血糖値又は尿糖値の内、少なくとも内臓脂肪に関する指標である。
【実施例１】
【００５４】
本発明の実施例１は、睡眠時の呼吸を検出し、睡眠時無呼吸低呼吸指数（ＡＨＩ）を演算する終夜計測端末と、身体情報を入力又は測定し肥満度を判定する生体測定端末と、前記終夜計測端末と生体測定端末とからデータを取得して管理し、前記ＡＨＩと前記肥満度とに基づく減量プログラムを設定するデータ管理端末と、前記減量プログラムを目標値として運動及び摂取量を計測する携帯端末とから成る健康管理システムを例とし、前記減量プログラムは運動と食事とから設定されるものであり、前記運動強度を一日の必要歩行時間として設定し、摂取量を摂取カロリーで設定するものであるとする。
【００５５】
本実施例１の健康管理システムの構成を図１及び図７を用いて説明する。図１は健康管理システムを構成する各端末と各端末間の関係を示した構成図であり、図２乃至図５は、各々終夜計測端末、生体測定端末、携帯端末及びデータ管理端末のブロック図である。
【００５６】
図１によると、健康管理システム１は、終夜計測端末２、生体測定端末３、携帯端末４及びデータ管理端末５から成り、前記終夜計測端末２及び生体測定端末３において入力、測定又は演算されたデータを前記データ管理端末５により受信し、前記携帯端末４とデータ管理端末とはデータの送受信が成される通信手段を各端末が各々有して構成する。
【００５７】
以下、図２乃至図６を含めて前記各端末２、３、４及び５を説明する。まず図１に示すように、前記終夜計測端末２は、睡眠時の呼吸状態を検出し、睡眠時無呼吸低呼吸指数（ＡＨＩ）を演算する呼吸情報入力手段を備え、例えば、非圧縮性の流体を内封したマットレス部２ａ内部の圧力変動を検知し、コントロール部２ｂにおいて、得られた信号から呼吸成分を抽出する呼吸状態検出手段を備えたものであり、図２に示すように、測定、解析又は判定結果などの各種データを前記データ管理部５に送信する通信部２０、測定ＯＮ／ＯＦＦスイッチなどを含む端末操作用の操作部２１、前記各種データを数値又はグラフ表示する表示部２２及び前記各種データを記憶する記憶部２３が制御部２４に接続されて成り、制御部２４は更に、前記マットレス部２ａ内部の圧力変動を検知する圧力検知手段である圧力検知部２５、前記圧力を検知した信号から呼吸成分を抽出し、睡眠時の呼吸状態を解析する呼吸状態解析手段である信号解析部２６及び前記呼吸状態から睡眠時無呼吸症候群の度合いを示す睡眠時無呼吸低呼吸指数：ＡＨＩの演算を行なう睡眠時無呼吸低呼吸指数演算手段であるＡＨＩ演算部２７とに接続して成る。
【００５８】
また図３に示すように、前記生体測定端末３は、身体情報入力手段である体組成測定装置を備え、前記データ管理部５にデータを送信する通信部３０、端末の操作に加えて、年齢及び性別を入力する操作兼入力部３１、前述と同様に表示部３２及び記憶部３３が制御部３４に接続して成る。また、前記制御部３４は、体重、身長及び生体電気インピーダンスを各々測定する、体重測定部３５、身長測定部３６及び生体電気インピーダンス測定部３７、前記測定した各データに基づいて、少なくとも体脂肪率、基礎代謝量を演算するデータ演算部３８及び、前記体脂肪率に基づいて、後述する肥満度判定テーブルを用いて、性別及び年齢別に肥満度を判定する肥満度判定手段である肥満度判定部３９に接続して構成する。
【００５９】
また図４に示すように、前記携帯端末４は、目標量計測手段である運動量及び摂取カロリー量測定装置を備え、前記データ管理部５から、後述する減量プログラムにより設定された運動強度及び摂取カロリーを目標値として受信し、前記データ管理部に実行結果を送信する通信部４０、端末操作に加えて、実際の摂取カロリーを計算するための食事摂取量などを入力する操作兼入力部４１、前述と同様に表示部４２及び記憶部４３が制御部４４に接続して成り、前記記憶部４３は各種データと前記減量プログラムとを記憶するものである。また制御部４４は、前記運動強度に対する運動量を計測するため、歩行時の体動を測定するための加速度測定部４５、前記体動に基づいて歩数を検出する歩数検出部４６、歩行時間を計測する計時部４７及び前記食事摂取量に基づいて摂取カロリーを演算する摂取カロリー演算部４８に接続して成り、更に前記計測した歩行時間と前記演算した摂取カロリーとの、前記減量プログラムにより設定された目標値に対する各々の増減を判定する判定手段とに接続して成る。
【００６０】
更に図５に示すように、前記データ管理端末５は、前記終夜計測端末２及び生体測定端末３からのデータを受信し、前記携帯端末３との間でデータの受け渡しを行なう通信部５０、端末操作をする操作部５１、前述と同様に表示部５２及び記憶部５３が制御部５４に接続して成る。また、前記制御部５４は各端末２、３及び４から受信したデータを各々分類して前記記憶部５３に記憶させることにより、データの一元管理や過去データとの比較等を行なうデータ管理部５５に接続し、前記生体測定端末３から受信したデータの内、性別、年齢及び基礎代謝に関する指標に基づいて、前記予め前記記憶部５３に記憶してある減量プログラム設定テーブルを被験者に合わせて補正するプログラム補正手段であるプログラム補正部５６と、前記各端末２、３及び４から受信したデータの内、前記ＡＨＩと肥満度とに基づいて減量プログラムを設定するプログラム設定手段であるプログラム設定部５７とからなるアドバイス出力手段、及び計時部５８に接続して成る。
【００６１】
ここで、前記プログラム補正部５６及びプログラム設定部５７による減量プログラム設定について、図６及び図７を含めて説明する。図６は減量プログラム設定テーブルであり、図７は前記生体測定端末３において肥満度を判定するための肥満度判定テーブルである。
【００６２】
まず、前記減量プログラム設定テーブルは、予め前記記憶部５３に記憶しており、睡眠時無呼吸症候群の重症度合いに応じて分類されたＡＨＩの各範囲と、前記体脂肪率に基づいて得られる各肥満度とをマトリクス上に配して分別した各セルから成り、前記各セルに対して各々一定期間の運動と食事の摂取量とからなる減量プログラムが設定されている。
【００６３】
各ＡＨＩの分類は、この限りではないが、本実施例１においては、病的な睡眠時無呼吸症候群でない状態（以下、健常状態と言う）（０≦ＡＨＩ<１０）、軽度（１０≦ＡＨＩ<１５）、中等度（１５≦ＡＨＩ<２０）及び重度（２０≦ＡＨＩ）に分類して定義する。また、図７に示すように、肥満度は標準域、軽度肥満、中度肥満及び高度肥満に分類されており、前記生体測定端末３において、測定又は入力により得られた性別及び年齢別の体脂肪率に基づいて判別され、前記減量プログラム設定テーブルの肥満度に設定される。
【００６４】
前記運動強度は、各セル内に運動強度１から運動強度５として示しており、前記ＡＨＩの分類において健常状態の場合で、軽度肥満、中度肥満及び高度肥満の各肥満度における減量プログラムの運動強度を、単に減量を目的とした減量プログラムの運動強度と同等であるものとし、ＡＨＩにより判別される軽度及び中等度の睡眠時無呼吸症候群の度合いに応じて運動強度を増加させるものである。
【００６５】
本実施例１においては、前記減量プログラムは、３０代男性をモデルとして設定した、２週間の歩行による運動と食事制限とによるプログラムであるとし、前記運動強度を歩行時間として定義した。例えば、睡眠時無呼吸症候群を発症していない３０代男性の健常者が、本実施例１で高度肥満として定義される程度に肥満度が高い場合に、一般的に行なわれる減量プログラムの運動を、図６の０≦ＡＨＩ<１０で示される１行と高度肥満として示される１列との交差するセル内に定義してある運動強度１とするものであり、前記運動強度は一日の歩行時間２０分で週３回行なうものである。同様にして、軽度肥満及び中度肥満として定義される程度の肥満であった場合、減量プログラムの運動強度は各々図６の各セル内に定義してある運動強度２及び運動強度３とする。前記運動強度１に対して運動強度２及び運動強度３は、各々歩行時間を１０分及び２０分増加したものとし、各肥満度における標準運動強度として定義し、運動強度＋１の増加に対して歩行時間が１０分増加して対応するものとする。
【００６６】
ここで、上記のように一般的な肥満度と運動強度との関係において、肥満度が高くなるほど運動強度が小さくなるように設定されているのは、肥満度が高くなるほど高負荷の運動が被験者の身体に大きな負担となり、減量により身体を壊しかねないことを考慮したものである。
【００６７】
次に、前記ＡＨＩと運動強度との関係においては、ＡＨＩが重症を示すほど日々の睡眠における危険性が増大することから、その原因として大きく影響している肥満を少しでも早く解消しなければならない。よって、前記図６の減量プログラム設定テーブルは、前記定義した軽度肥満、中度肥満及び高度肥満における各標準運動強度に対して、睡眠時無呼吸症候群の度合いに応じて各々重み付けをして設定したものであり、前記睡眠時無呼吸症候群が軽度（１０≦ＡＨＩ<１５）及び中等度（１５≦ＡＨＩ<２０）の運動強度は、前記各標準運動強度に対して各々＋１及び＋２として設定したものである。
【００６８】
また、食事摂取量の設定においては、肥満度に応じて設定される。軽度肥満の場合には、運動強度が比較的高めに設定されることから、図６に「摂取：通常」として示すように、３０代男性が一日に必要とする平均的な摂取量が設定される。また中度肥満の場合は「摂取：やや少」として示すように、例えば一般的な減食療法で定義されているような摂取カロリー１５００（ｋｃａｌ／日）程度の摂取量を設定し、更に高度肥満の場合は「摂取：少」として示すように、例えば、一般的な低エネルギー食療法で定義されているような摂取カロリー１０００（ｋｃａｌ／日）程度の摂取量を設定するものである。
【００６９】
前記プログラム補正部５６は、前記減量プログラム設定テーブルの各プログラムを被験者に合わせて補正するものであり、性別の補正定数として男性を０、女性を−１とし、年齢の補正定数として３０歳代を０とし、±１０歳代毎に補正定数±０．２とする。また、前記基礎代謝に関する指標は、性別及び年齢別の基礎代謝量の標準値を補正定数０とし、前記生体測定端末３から得られる被験者の基礎代謝量との差が、例えば±５０（ｋｃａｌ／日）の差毎に各々補正定数±０．１として演算するものであるとする。
【００７０】
従って、具体例として、年齢４５歳の女性で基礎代謝量が標準値よりも２１０（ｋｃａｌ／日）低い場合、年齢の補正定数＝−０．２、性別の補正定数＝−１、基礎代謝量の補正定数＝−０．４であることから、総補正定数＝−１．６となる。これにより図６の減量プログラム設定テーブルにおいて、各プログラムの運動強度は−１．６され、運動強度が１変化に対して歩行時間１０分の割合で運動強度が変更されることから、例えば「運動強度３（歩行時間４０分／日×３回／週）」は「運動強度１．４（歩行時間２４分／日×３回／週）」として補正され、記憶部５３内に、３０代男性をモデルに記憶されていた減量プログラム設定テーブルを、前記補正後の減量プログラム設定テーブル更新して記憶する。
【００７１】
前記プログラム設定部５７は、前記補正後の減量プログラム設定テーブルに従って、前記ＡＨＩと肥満度とに基づいて減量プログラムを自動選択して設定する。例えば、前記具体例の４５歳女性において、ＡＨＩ＝１２、中度肥満であった場合、図６の補正前の減量プログラム設定テーブルにおいては、「運動強度３、摂取：やや少」が選択され、前述のように補正後の減量プログラム設定テーブルにでは、「運動強度１．６、摂取やや少」に該当する。
【００７２】
次に本実施例１の健康管理システム１の動作を図８及び９を用いて説明する。図８は健康管理システム１のデータ管理端末５のメインルーチンを示すフローチャートであり、図９は、減量プログラム設定時の動作を示すサブルーチンである。
【００７３】
ここで、前記終夜計測端末２、生体測定端末３及び携帯端末４は、何れも既に公知の測定装置に、前記データ管理端末５とデータ通信させるために、各々通信部２０、３０及び４０を設けたものであるため、動作手順は省略する。
【００７４】
図８のフローチャートにおいて、データ管理端末装置５の操作部５１に備えた電源スイッチにより電源をオンすると、ステップＳ１において、前記終夜計測端末２、生体測定端末３及び携帯端末４の各端末からデータを取得するよう促す指示が表示部５２に表示される。被験者は前記指示に従い、各端末の操作部２１、３１及び４１に備えた通信開始スイッチを押し、各通信部２０、３０及び４０から、各々測定、解析又は判定結果などの各種データをデータ管理端末５に送信する。
【００７５】
前記各種データの送信が完了すると、前記各種データは、データ管理部５５によりデータ毎に分類されて記憶部５３に記憶され一元管理される。
【００７６】
ステップＳ２において、減量プログラムが設定されているか又は減量プログラムの設定期間が経過したかどうかが自動で判断される。前述したように、減量プログラムは２週間の運動及び食事によるプログラムとして定義してあるものであり、前記減量プログラムの設定期間は、初回のプログラム設定日から２週間であるとし、前記プログラム設定部５７により減量プログラムを設定した日付が記憶部５３に記憶されており、計時部５８により日付が計数されているものであるとする。
【００７７】
減量プログラムが設定されてあり、前記設定期間内である場合にはＮＯに進み、ステップＳ３において、前記各端末２、３及び４から取得した各種データの結果やデータ管理部５５における過去データとの比較結果、または前記結果から得られる減量に関するアドバイスなどを表示部５２に表示し、続くステップＳ４において、前記操作部５１に備えた電源スイッチがオフされるまで表示が繰り返され、電源スイッチが押されると共に電源がオフされ終了する。
【００７８】
また、前記ステップＳ２において、減量プログラムが設定されていない又は前記設定期間が経過した場合にはＹＥＳに進み、ステップＳ５において、前記プログラム補正部５６により前述した減量プログラム設定テーブルを用いたプログラム補正が成される。前記減量プログラム補正に関しては図９を用いて後述する。
【００７９】
ステップＳ６において、前記減量プログラム設定テーブルが補正され、記憶部５３において補正後の減量プログラム設定テーブルに更新されたかどうか判断され、更新されていない場合は、図９で詳述するように各種アドバイス又は結果表示のみであるためＮＯに進み、前記ステップＳ４において前述と同様に電源オフが検出されるまで表示を続け、前記減量プログラムが更新された場合ＹＥＳに進み、ステップＳ７において、前述したように前記プログラム設定部５７により、減量プログラム設定テーブルに従って、前記ＡＨＩ及び肥満度に基づく減量プログラムが自動選択され設定される。
【００８０】
続いて、ステップＳ８において、前記プログラムはデータ管理端末５から前記携帯端末４へ、通信部４０及び５０を介してデータ送信され、携帯端末４において、運動及び食事量の目標値として設定された後、前記ステップＳ３において表示部５２に各種データが表示され、ステップＳ４において、電源オフが検出されるまで表示が続けられる。
【００８１】
ここで、図９を用いて前記ステップＳ３の減量プログラム補正手順を説明する。減量プログラム補正サブルーチンに入ると、ステップＳ２１において、ＡＨＩ≧２０、すなわち、前記終夜計測端末２より得られた前記ＡＨＩの値が２０を超えているかどうかが判断され、超えていれば、睡眠時無呼吸症候群は重症を示していると判断しＹＥＳに進み、減量だけで改善を図るには危険が伴うため、しかるべき医療機関による専門的な治療を勧めるアドバイスを表示部５２に表示して、図８のメインルーチンに戻る。
【００８２】
また、ＡＨＩ<２０の場合ＮＯに進み、ステップＳ２３において、前記生体測定端末３より得られた肥満度が標準域であるかどうか判断される。標準域であった場合ＹＥＳに進み、ステップＳ２４において更に０≦ＡＨＩ<１０、すなわち前記健常状態かどうか判断される。健常状態であった場合ＹＥＳに進み、前記ステップＳ２３において肥満度も標準域であることから、ステップＳ２５において、健康であり問題ないとするアドバイスや日々の健康を維持するような一般的な健康維持プログラムを提供して、図８のメインルーチンに戻る。
【００８３】
また前記ステップＳ２４においてＡＨＩ≧５であり睡眠時無呼吸症候群であると判断された場合ＮＯに進み、前記ステップＳ２３において肥満度が標準域であったことから、睡眠時無呼吸症候群の原因は肥満にはなく、他の要因よる可能性が高いと判断し、ステップＳ２２において、前記同様に医療機関による治療を勧めるアドバイスを表示部５２に表示して図８のメインルーチンに戻る。
【００８４】
また、前記ステップＳ２３において、肥満度が標準域でない場合、すなわち、図７の肥満度設定テーブルの軽度、中度及び高度の各肥満度に該当する場合ＮＯに進み、ステップＳ２６において、記憶部５３より予め設定されてある前記減量プログラム設定テーブルを読み込む。続くステップＳ２７からステップＳ３０においては、前述したように減量プログラム設定テーブルの補正が成される。すなわちステップＳ２７において、まず、性別及び年齢の各補正がなされたか判断され、補正されていなければＮＯに進み、ステップＳ２８において各補正定数により減量プログラム設定テーブルの運動強度の補正を行ない、補正されていればＹＥＳに進み、前記生体測定端末３より取得した基礎代謝量による補正を行ない、ステップＳ３０において補正された減量プログラム設定テーブルを記憶部５３に上書きして記憶し、図８のメインルーチンに戻る。
【００８５】
なお、本実施例１においては、終夜計測端末２、生体測定端末３、携帯端末４及びデータ管理端末５からなる健康管理システム１を例に挙げたが、計測又は数値入力により前記ＡＨＩの値と肥満度とを入力する入力部と、前記ＡＨＩと肥満度とに基づいて減量プログラムを設定するプログラム設定部とが健康管理装置内に一体で構成されるものであっても良い。
【００８６】
また、図１及び図２に示すように前記終夜計測端末はマットレス部２ａ及びコントロール部２ｂから成るものとしたが、前記コントロール部２は、前記生体測定端末３、携帯端末４及びデータ管理端末５を兼ねて成るものとし、前記マットレス部２ａとコントロール部２ｂとは着脱自在とする構成であっても良い。
【００８７】
また、各端末２，３，４及び５は、実施例１において前述したように公知のものであり、実施例１中に示したデータの他に一般的な多種のデータを取得可能であり、前記データ管理端末５において前記多種のデータも一元管理するものであっても良い。例えば、前記終夜計測端末２は、睡眠段階や、睡眠効率、睡眠周期又は睡眠タイミングなどの睡眠に関するデータを取得しても良いし、前記生体測定端末３は、内蔵脂肪、皮下脂肪、筋肉または骨等の体組成に関するデータなどを取得しても良い。また、携帯端末４は、運動量に基づいて消費カロリーを取得し、食事量に基づく摂取カロリーとのカロリー収支データを取得しても良い。これにより例えば、図９のステップＳ２５に示した、健康維持プログラムは、前記取得した体組成に関するデータを含め、各データの一般的な標準値（または標準範囲）を目標値（または目標範囲）とし、前記カロリー収支データに基づいて健康を維持させるようなプログラムも可能である。表示においては、日々の前記各データの推移をプロットした折れ線グラフや、目標範囲に対する各データの状態を分かりやすく表示した図１０のようなレーダーチャートでも良い。
【００８８】
また、本実施例１においては、体脂肪率の性別及び年齢別の分類より肥満度を取得したが、ＢＭＩにより肥満度を分類しても良い。
【００８９】
また、図６の３０代男性をモデルとして運動強度を定義した減量プログラム設定テーブルを予めデータ管理端末５の記憶部５３に設定してあったが、予め性別及び年齢別に複数の減量プログラム設定テーブルを前記記憶部５３に記憶しておき、入力された性別及び年齢に従って、適する減量プログラム設定テーブルを読み込んでも良い。
【００９０】
また、図７に示すように肥満度を、標準域、軽度肥満、中度肥満及び高度肥満に分類したが、更に肥満が身体に危険な状態を引き起こす可能性がある範囲を危険域と定義し、肥満度が高くなるほど高負荷の運動は被験者の身体に大きな負担となることから、肥満度が前記危険域と判定された場合には、睡眠時無呼吸症候群の度合いにかかわらず、過激な運動促進を避け、食事制限による減量プログラムを設定するようにしても良い。
【００９１】
また、図９のステップＳ２８及びステップＳ２９に示しように、前記データ管理端末５のプログラム補正部５６においては、性別、年齢及び基礎代謝に関する指標による補正に加えて、筋肉等の体組成に関する指標による補正や前記プログラムに従った運動の継続日数による補正などを加えても良い。
【００９２】
更に、図８のステップＳ３の結果又はアドバイス表示においては、図１１又は図１２の表示例に示すようなＡＨＩと肥満度との関係が一目で認識可能なグラフを表示しても良い。
【実施例２】
【００９３】
本発明の実施例２として、メタボリックシンドローム（以下、ＭＳと言う。）の判定に関連する複数の特定身体情報のＭＳに及ぼす影響度合いを判定し、この特定身体情報の影響度合いを含めて、前記無呼吸低呼吸状態の改善に関するアドバイスを出力し、前記アドバイスに基づいて運動又は食事を管理する健康管理システムを示す。
【００９４】
ここで、ＭＳとは、肥満の中でも特に内蔵脂肪型肥満が原因で、高血圧、高脂血症、糖尿病などの生活習慣病を初めとする様々な病気が引き起こされやすくなった状態を指すものであり、血圧値、血糖値（又は尿糖値）、血中脂質量、内臓脂肪面積などから複合的に判定されるものである。また、一般的に、睡眠時無呼吸症候群とＭＳとの関係として、睡眠時無呼吸症候群の人がＭＳを発症する頻度は、正常な人のそれに比べて高く、睡眠時無呼吸症候群の度合いが高いほど頻度も高くなるとされている。
【００９５】
よって、実施例２の健康管理システムは、肥満の解消が睡眠時無呼吸症候群とＭＳとの両方の改善に効果的であることから、肥満の解消に当たって、運動と食事摂取量による減量だけでなく、血圧値や血糖値（又は尿糖値）や血中脂質量などＭＳに関連する身体情報に基づき、摂取において栄養のバランスを考慮したアドバイスを提供することにより、被験者にとって、より適切なアドバイスを提供するものである。
【００９６】
図示しないが、実施例２の構成を、図１に示した実施例１の構成との差異を基に説明する。実施例１では、図１において、肥満度合いに関する身体情報を入力する身体情報入力手段である体組成測定装置を生体測定端末３として備えたが、実施例２では、図示しないが、ＭＳの判定に関連する複数の特定身体情報を入力する特定身体情報入力手段として、前記体組成測定装置を、内臓脂肪面積を判定可能であるものとして備え、更に、血圧値を測定する血圧計と血糖値を測定する血糖計と血中脂質量を測定する装置とを備え、各々測定値を前記データ管理端末５に入力するものであるとする。また、前記データ管理端末５は、各測定値についてＭＳへの影響度合いを判定する影響度判定手段を備え、プログラム補正部５６とプログラム設定部５７とを含むアドバイス出力手段は、前記判定した各測定値のＭＳへの影響度合いを含めて、前記無呼吸低呼吸状態の改善に関するアドバイスを出力するように構成するものである。なお、その他の構成は図１と同様であるとする。
【００９７】
また、具体的な手順を、実施例１の手順を示した図８及び図９を用いて説明する。まず、図８のステップ１において、各端末よりデータ取得する際に、前記データ管理端末５に、前記各特定身体情報入力手段から、内臓脂肪面積、血圧値、血糖値及び血中脂質量が入力されると、これ以降、ステップＳ５の減量プログラム補正までは、実施例１と同様の動作をし、ステップＳ５において、図９に示すフローチャートに進み、このフローチャートの中で、ステップＳ２９にて基礎代謝による減量プログラムの補正が成された後で、ステップＳ３０に至る前に、次に示す手順が加わる。すなわち、前記影響度判定手段は、図１３に示すごとく各測定値のＭＳへの影響度合いを判定する。まず、公知のＭＳの診断基準に基づいて各測定値を、「高・中・低」の三段階で判定する。この分類は、各測定値を所定の閾値により区分するものであり、例えば、「高」がＭＳ危険域であり、「中」がＭＳ注意域であり、「低」が安全域であるとして判定するものである。次に、前記各測定値の段階によって、どの特定身体情報が、ＭＳへの影響度が大きいかを判定する。ここでは、前記三段階の内、「中」又は「高」であった場合、その特定身体情報のＭＳへの影響度が大きいと判断する。例えば、内臓脂肪面積が「中」又は「高」であって、血圧値、血糖値及び血中脂質量が「低」と判定された場合には、内臓脂肪面積がＭＳに大きく影響を与えている因子であるとして判定する。図１３の例では、内臓脂肪面積が「高」であり、血圧値が「低」であり、血糖値が「中」であり、血中脂質量が「中」であることを示すものであり、内蔵脂肪面積と血糖値と血中脂質量とがＭＳへの影響度が大きいことを示すものである。
【００９８】
続いて、この判定結果に対して、前記アドバイス出力手段は、実施例１において図６に示した減量プログラム設定テーブルの「軽度肥満」、「中度肥満」及び「高度肥満」として設定された「肥満度」を、前記内臓脂肪面積の判定結果である「低」、「中」及び「高」に順に置き換えて、ＡＨＩとの関係から該当する減量プログラムを得る。
【００９９】
更に、この減量プログラムを基に、前記内臓脂肪面積、血圧値及び血糖値の各判定結果により各々補正又はアドバイスを行なう。ここで、アドバイスは、各測定値が、「中」又は「高」と判定された場合に、各々の因子を改善させるべく減量プログラムを補正又はアドバイスをするものである。すなわち、各々次のような補正又はアドバイスがなされる。内臓脂肪面積が「中」又は「高」と判定された場合には、内臓脂肪の減少を優先した補正として、前記該当する減量プログラムの運動強度に対しては運動強度を上げるように補正すると共に、同摂取量に対しては抑制するように補正するものである。また、血圧値が「中」又は「高」と判定された場合には、塩分量を所定量減らし、ミネラル分の多い食品を摂取するように栄養バランスに関するアドバイスを提供する。また、血糖値が「中」又は「高」と判定された場合には、前記摂取量を抑制するように補正すると共に、糖類の摂取を制限してＧＩ（Ｇｌｙｃｅｍｉｃ  Ｉｎｄｅｘ）値の低い食品を摂取するように栄養バランスに関するアドバイスを提供する。また、血中脂質料が「中」又は「高」と判定された場合には、前記摂取量を抑制するように補正すると共に、コレステロールを多く含む食品の摂取を制限するように栄養バランスに関するアドバイスを提供する。ただし、前述の該当する減量プログラムの運動強度又は摂取量の各補正に関しては、予め各々所定値を設定しておくものであるとし、前記各判定結果が「中」よりも「高」のときの方が、前記所定値を大きくして補正するものであるとする。図１３の例においては、「高」と判定された内臓脂肪面積、「中」と判定された血糖値及び血中脂質量の全ての補正又はアドバイスを、減量プログラムに反映させて補正するものである。以上が終了すると、ステップＳ３０に進み、以降実施例１と同様に動作するものであるとする。これによって、肥満の解消によるだけでなく、メタボリックシンドロームの危険性の回避を含んだ睡眠時無呼吸症候群の改善が可能である。
【０１００】
なお、実施例２においては、特定身体情報として、内臓脂肪面積、血圧値、血糖値及び血中脂質量のデータを用いたが、内臓脂肪面積に代えて、内臓脂肪率や内臓脂肪レベルなどの内臓脂肪に関連した指標を用いても良い。また、血糖値に代えて、尿糖計により測定した尿糖値を用いても良い。
【図面の簡単な説明】
【０１０１】
【図１】実施例１の健康管理システムの構成図である。
【図２】終夜計測端末のブロック図である。
【図３】生体測定端末のブロック図である。
【図４】携帯端末のブロック図である。
【図５】データ管理端末のブロック図である。
【図６】減量プログラム設定テーブルである。
【図７】肥満度判定テーブルである。
【図８】実施例１の動作を示すメインルーチンを示すフローチャートである。
【図９】減量プログラム設定のサブルーチンを示すフローチャートである。
【図１０】結果又はアドバイス表示の表示例である。
【図１１】結果又はアドバイス表示の表示例である。
【図１２】結果又はアドバイス表示の表示例である。
【図１３】特定身体情報のＭＳへの影響度合いの判定を示す図である。
【符号の説明】
【０１０２】
１    健康管理システム
２    終夜計測端末
３    生体測定端末
４    携帯端末
５    データ管理端末
２０，３０，４０，５０    通信部
２１，３１，４１，５１    操作部
２２，３２，４２，５２    表示部
２３，３３，４３，５３    記憶部
２４，３４，４４，５４    制御部
２５    圧力検知部
２６    信号解析部
２７    ＡＨＩ演算部
３５    体重測定部
３６    身長測定部
３７    生体電気インピーダンス測定部
３８    データ演算部
３９    肥満度判定部
４５    加速度測定部
４６    歩数検出部
４７    計時部
４８    摂取カロリー演算部
４９    判定部
５５    データ管理部
５６    プログラム補正部
５７    プログラム設定部
５８    計時部
【図１】
2006192255.tif 000003
【図２】
2006192255.tif 000004
【図３】
2006192255.tif 000005
【図４】
2006192255.tif 000006
【図５】
2006192255.tif 000007
【図６】
2006192255.tif 000008
【図７】
2006192255.tif 000009
【図８】
2006192255.tif 000010
【図９】
2006192255.tif 000011
【図１０】
2006192255.tif 000012
【図１１】
2006192255.tif 000013
【図１２】
2006192255.tif 000014
【図１３】
2006192255.tif 000015